(57)【特許請求の範囲】
【請求項１】
下端の前方直角方向に書物受け板２を、左右側端の前方直角方向に袖板３を設けた書物保持板１の、両袖板３の上部外側に回動支持脚４を枢着し、また前記書物受け板２の下面に前方に垂直支持板５を延設し、後方に該垂直支持板５に対し直角範囲で擺動可能な傾斜支持板６をヒンジ７を介して連結するとともに該傾斜支持板６の中心部位に傾斜調節ねじ脚８を螺装し、前記両袖板３間にはテグス糸等の透明材質の弾糸９を、その一方端を袖板３に設けた糸貫通孔３ａより袖板３の外側面に貫挿して袖板３外側面に装着した引張り調整リール１０により緊張自在に張設し、さらに内側方向に窄まる透明材質の略三角状誘導フィルム１１をその内端頂点部１１ａに設けた糸通し孔１２に前記弾糸９を表側から裏側へ通すとともに基端辺１１ｂを袖板３の内側面に固定し、さらに前記受け板２と垂直支持板５と傾斜支持板６の一側端部の幅方向と奥行方向に指差入れ切欠部１３を設けて成る書見台。
【請求項２】
書物保持板１の中央部縦方向に二条の隆堤枠１４を設けて、書物の綴部を安置できるようにした請求項１記載の書見台。
【発明の詳細な説明】
【０００１】
【発明の属する技術分野】
本発明は、机上やベット上で、書物を所望の角度に保持して、頁めくりのみで読書ができる書見台に関する。
【０００２】
【従来の技術】
これまでに、書物を手に持つ負担をなくし又目線に対し所定角度で読書するための書見台は数多く提案されて、出願がなされている。
しかしながら、それらに共通する難点として、頁メクリとその止め作業がなお厄介であることとめくった頁紙が安定しずらいことが挙げられる。
【０００３】
【発明が解決しようとする課題】
本発明は、従来のかかる実情に鑑みてなされたもので、書物を安定保持し、頁めくりが頁紙を傷めることなく片手で円滑に行え、めくり後の頁紙が安定し、さらに目線に対する角度を簡単に微調整できる書見台を提供しようとするものである。
【０００４】
【課題を解決するための手段】
上記目的を達成するため、本発明は、下端の前方直角方向に書物受け板２を、左右側端の前方直角方向に袖板３を設けた書物保持板１の、両袖板３の上部外側に回動支持脚４を枢着し、また前記書物受け板２の下面に前方に垂直支持板５を延設し、後方に該垂直支持板５に対し直角範囲で擺動可能な傾斜支持板６をヒンジ７を介して連結するとともに該傾斜支持板６の中心部位に傾斜調節ねじ脚８を螺装する。
【０００５】
そして、前記両袖板３間にはテグス糸等の透明材質の弾糸９を、その一方端を袖板３に設けた糸貫通孔３ａより袖板３の外側面に貫挿して袖板３外側面に装着した引張り調整リール１０により緊張自在に張設し、さらに内側方向に窄まる透明材質の略三角状誘導フィルム１１をその内端頂点部１１ａに設けた糸通し孔１２に前記弾糸９を表側から裏側へ通すとともに基端辺１１ｂを袖板３の内側面に固定する。
【０００６】
そしてさらに、前記受け板２と垂直支持板５と傾斜支持板６の一側端部の幅方向と奥行方向に、指差入れ切欠部１３を設けて書見台を構成する。
【０００７】
また上記構成において、書物保持板１の中央部縦方向に二条の隆堤枠１４を設けて、書物の綴部を安置できるようにした書見台である。
【０００８】
【作用】
今、本発明の書見台を使用するには、まず図１に示すように、回動支持脚４を机面に対し垂直方向に立て、且つ傾斜支持板６を前方に回動させて垂直支持板５裏側に重ねて、なだらかな傾斜状態を得るか、あるいは図２に示すように回動支持脚４は動かさずに傾斜支持板６を垂直支持板５に対し直角に回動させて、急傾斜状態を得る。なお、後者の場合は傾斜支持板６の中心部位に螺装した傾斜調節ねじ脚８（図２には示されず図４を参照）を推進調整することにより、急傾斜角を微調節するものとする。
【０００９】
そして図３（図３は傾斜支持板６を急傾斜させて使用する状態）に示すように、書物Ｂを書物受け板２と両袖板３とで囲われた書物保持板１に、前記両袖板３間に張った弾糸９及び透明材質の略三角状誘導フィルム１１の内側に挟むように且つ書物Ｂの綴部が二条の隆堤枠１４に安置されるように差し入れて、その弾糸９を一方の袖板３の外側面に装着した引張り調整リール１０を操作して緊張度を適宜調節する。この弾糸９及び略三角状誘導フィルム１１は透明材質であるので、頁紙Ｐの文字を読取る妨げにはならない。
【００１０】
また、同図に示される、基端辺１１ｂを袖板３の内側面に固定し且つ内端頂点部１１ａに設けた糸通し孔１２に前記弾糸９を表側から裏側へ通して設けられた透明材質の略三角状誘導フィルム１１は、簡単なようで重要な役割を果す。即ちこの略三角状誘導フィルム１１により頁紙Ｐが安定状態に押さえ込まれるとともに頁めくりに際して、この部分の弾糸９が略三角状誘導フィルム１１の表側に張られるために頁紙Ｐの辺縁を弾糸９で傷付けることなく、円滑にめくることを可能とする。
【００１１】
そしてさらに、前記受け板２と垂直支持板５と傾斜支持板６の一側端部の幅方向と奥行方向に設けた指差入れ切欠部１３は、頁めくりの際に親指先がその切欠部１３に深く差し入れられるので、頁紙Ｐの一枚一枚のめくり取りが容易迅速に行える。
【００１２】
【発明の効果】
本発明は以上のようで、書物を安定保持し、頁めくりが極く自然に且つ頁紙を傷めることなく片手で円滑且迅速に行え、めくり後の頁紙の押さえ込みが安定し、さらに目線に対する角度を簡単に微調整できるものであり、机上ではもちろんのことベットの座卓などでの読書に適し、疲労を伴わないから長時間の読書にも耐えられるまことに重宝な書見台である。
【００１３】
【実施例】
図１及び図２において、１が、下端の前方直角方向に書物受け板２と、左右側端の前方直角方向に設けた両袖板３とで囲まれた書物保持板で、その中央部縦方向に二条の隆堤枠１４を設け、前記両袖板３の上部外側に回動支持脚４を枢着する。そしてまた前記書物受け板２の下面に、前方に垂直支持板５を延設し、後方に該垂直支持板５に対し直角範囲で擺動可能な傾斜支持板６をヒンジ７を介して連結するとともに該傾斜支持板６の中心部位に傾斜調節ねじ脚８を螺装して、本体部分を構成する。
この本体部分の材質は、木製、プラスチック製、金属製のいずれであると問わないが、木目のある板材とすることが感触と温りを保持する上で望ましい。
【００１４】
そして、前記両袖板３間には、透明材質の弾糸９としてテグス糸を、その一方端を袖板３に設けた糸貫通孔３ａより袖板３の外側面に貫挿して袖板３外側面に装着した引張り調整リール１０により緊張自在に張設し、さらに内側方向に窄まる透明材質の略三角状誘導フィルム１１をその内端頂点部１１ａに設けた糸通し孔１２に前記弾糸９を表側から裏側へ通すとともに基端辺１１ｂを袖板３の内側面に固定する。
【００１５】
そしてさらに、前記受け板２と垂直支持板５と傾斜支持板６の一側端部の幅方向と奥行方向に、指差入れ切欠部１３を設けて成る書見台である。
【図面の簡単な説明】
【図１】なだらかな傾斜状態に支持した斜視図
【図２】急傾斜状態に支持した斜視図
【図３】使用状態を示す斜視図
【図４】傾斜調節ねじ脚による角度調整並びに調整リールによる弾糸の緊張度調整動作を示す側面図
【符号の説明】
１      書物保持板
２      書物受け板
３      袖板
３ａ    糸貫通孔
４      回動支持脚
５      垂直支持板
６      傾斜支持板
７      ヒンジ
８      傾斜調節ねじ脚
９      透明材質の弾糸
１０      引張り調整リール
１１      透明材質の略三角状誘導フィルム
１１ａ    内端頂点部
１１ｂ    基端辺
１２      糸通し孔
１３      指差入れ切欠部
１４      隆堤枠
【図１】
0003698659.tif 000002
【図２】
0003698659.tif 000003
【図３】
0003698659.tif 000004
【図４】
0003698659.tif 000005